(57)【特許請求の範囲】
【請求項１】
脚に支持される受台と、この受台に前端部が枢支されて後傾自在とされた座フレームと、前記受台に前後方向に遊動的に枢支されて後傾自在とされ背もたれを有する背フレームと、前記受台に対し座フレームに弾性的に後傾時のクッション性を与えるバネ機構とを備えた椅子であって、
前記背フレームに幅方向に摺動可能に挿通支持されたシャフトと、
前記受台に基部が傾動自在に枢支され前記シャフトが挿通されるとともに前記シャフトが移動可能な円弧状のカム孔を有する複数枚の摩擦板兼用のカムプレートと、
これらカムプレート間に位置して前記シャフトに嵌挿されたワッシャと、
前記シャフトを軸方向にバネ付勢し前記カムプレートを固定用部材側に圧接して背フレームを任意角度で固定させる付勢手段と、
上記固定状態を解除するため前記シャフトをバネ付勢に抗してスライドさせる固定解除機構と、
前記受台に設けられ前記カムプレートの傾動方向側面にそって設けられた押圧部により圧縮されリクライニング時に背フレームにクッション性を与えるための弾性体
を具有し、
前記固定解除機構は、前記シャフトの端部に固着される回動カムと前記座フレームに固定される固定カムと前記回動カムの軸受部に挿着されるハンドルレバーとを有し、前記ハンドルレバーの操作により前記回動カムを前記固定カムに対し一位置で係合させて前記ワッシャを押して前記カムプレートを圧接固定状態にし前記固定状態とするとともに、前記ハンドルレバーの操作により前記回動カムを前記固定カムに対し他位置で係合させて前記固定状態を解除可能とし、
前記弾性体は、前記カム孔における前記シャフトの移動位置に依存して、前記押圧部により圧縮される
ことを特徴とする椅子のリクライニング装置。
【発明の詳細な説明】
【０００１】
【発明の属する技術分野】
本発明は椅子のリクライニング装置に係り、特に執務姿勢時には安定姿勢を保ち、背に力を加えれば身体に追従して自然なリクライニング反力を得ることができ、さらに任意の角度位置で背もたれおよび座部を固定可能とした椅子のリクライニング装置に関する。
【０００２】
【従来の技術】
椅子の背もたれおよび座部のリクライニング状態を任意の角度位置で固定する手段として従来からガススプリングが用いられており、固定する際にはレバー操作によりガススプリングをロックすることによっている。
【０００３】
また上記ガススプリングでは背もたれおよび座部の理想的なリクライニング反力を受けるためには別にバネによるクッション機構を設けることによっている。
【０００４】
【発明が解決しようとする課題】
しかしてガススプリングを用いてリクライニング角の選定および固定を行なわせる構成によるものでは、ガススプリングが高価であることからコストが嵩むと同時にガススプリングの設置用スペースを大きく必要とし、設計上大きな制約を受けるという問題があり、加えてガススプリングの他にリクライニング反力を得るための機能を別に必要とすることから構成が複雑化して一層高価でかつスペース的にもきわめて効率の悪いものとなっていた。
【０００５】
一方、背フレームがリクライニング可能な事務用椅子では、人体の体重を支えるための弾性体としてコイルスプリングを用いるのが一般的であるが、コイルスプリングに依存するものではその反力が弱いと着座しただけで背もたれが後傾してしまい、また反力を強く調整すると背もたれが倒れにくくなって休息姿勢をとりにくいものとなり、かつリクライニング時にバネ感を感じて座り心地が悪いという問題があった。
【０００６】
本発明は、ガススプリングを用いることなくリクライニング構成とその反力を得る機能とを単一の構成によって達成することができ、構成の簡素化とコストの低減およびスペースの有効利用を図ることのできる椅子のリクライニング装置を提供することを課題としてなされたものである。
【０００７】
【課題を解決するための手段】
上記課題を解決する手段として本発明は、脚に支持される受台と、この受台に前端部が枢支されて後傾自在とされた座フレームと、前記受台に前後方向に遊動的に枢支されて後傾自在とされ背もたれを有する背フレームと、前記受台に対し座フレームに弾性的に後傾時のクッション性を与えるバネ機構とを備えた椅子であって、前記背フレームに幅方向に摺動可能に挿通支持されたシャフトと、
前記受台に基部が傾動自在に枢支され前記シャフトが挿通されるとともに前記シャフトが移動可能な円弧状のカム孔を有する複数枚の摩擦板兼用のカムプレートと、これらカムプレート間に位置して前記シャフトに嵌挿されたワッシャと、前記シャフトを軸方向にバネ付勢し前記カムプレートを固定用部材側に圧接して背フレームを任意角度で固定させる付勢手段と、上記固定状態を解除するため前記シャフトをバネ付勢に抗してスライドさせる固定解除機構と、前記受台に設けられ前記カムプレートの傾動方向側面にそって設けられた押圧部により圧縮されリクライニング時に背フレームにクッション性を与えるための弾性体を具有し、前記固定解除機構は、前記シャフトの端部に固着される回動カムと前記座フレームに固定される固定カムと前記回動カムの軸受部に挿着されるハンドルレバーとを有し、前記ハンドルレバーの操作により前記回動カムを前記固定カムに対し一位置で係合させて前記ワッシャを押して前記カムプレートを圧接固定状態にし前記固定状態とするとともに、前記ハンドルレバーの操作により前記回動カムを前記固定カムに対し他位置で係合させて前記固定状態を解除可能とし、前記弾性体は、前記カム孔における前記シャフトの移動位置に依存して、前記押圧部により圧縮されることを特徴とする。
【０００８】
【発明の実施の形態】
以下、本発明を図面に示す実施の形態を参照して説明する。
図１は通常使用時、図２はリクライニング時の状態の各断面図を示し、図３は水平断面図を示すもので、椅子としての基本構成は従来と同様に、脚に支持される受台１、この受台１に前端部が軸２により後傾自在に枢支された座フレーム３、前記受台１に前端が軸４により前後方向に遊動的にかつ後傾自在に枢支された背フレーム５、前記受台１に対し座フレーム３に後傾時のクッション性を与えるバネ機構６等を備えるものであり、前記背フレーム５の後部は立ち上げられて背もたれ７とされている。
【０００９】
前記バネ機構６は、従来のものと同様に、前記受台１の下面側の幅方向中央位置に螺挿されたネジ軸８と、このネジ軸８の先端のバネ受９と、このバネ受９と受台１との間に介装されたコイルバネ１０とで構成され、前記ネジ軸８の下端のつまみ１１を回動してバネ受９と受台１との間隔を変えることによりコイルバネ１０のバネ力を調整して使用者の好みに合ったクッション性が得られるようになされている。
【００１０】
本発明においては、前記背フレーム５の前記軸４が嵌合する受台１側の軸孔は前後方向に長い長孔１２とされ、この軸４より所要距離だけ後方に離間した位置には前記座フレーム３の幅と略等長のシャフト１３が幅方向に貫通して設けられている。
【００１１】
前記背フレーム５の幅方向中央位置には複数枚のカムプレート１４，１４…の基部が前記受台１に設けられた軸受１５，１５間に軸１６により傾動自在に枢支されている。
【００１２】
このカムプレート１４，１４…は摩擦板を兼務するもので、少なくとも表面が摩擦係数の大きい材料で構成され、先端部には前記軸１６より最も離間した位置から最も接近する位置にかけて円弧状に穿設されたカム孔１７を有し、このカム孔１７に前記シャフト１３が可及的密に挿通されている。
【００１３】
また上記シャフト１３には、図４に拡大断面を示すように前記カムプレート１４，１４…の各間に介在するワッシャ１８，１８…が嵌挿されており、最も外端のワッシャ１８，１８と背フレーム５との間のシャフト１３にはパイプ材からなる固定用部材１９，２０が外嵌されている。このうち固定用部材２０は背フレーム５、座フレーム３を貫通して座フレーム３外に至っており、前記シャフト１３の外端に固着のエンド部材１３ａが固定用部材２０の外端のフランジ部２０ａの外面に当接されている。
【００１４】
前記シャフト１３の一端のバネ受２１と座フレーム３との間には付勢手段を構成する圧縮バネ２２が介装されていてシャフト１３を常時図４において左方に牽引する方向に付勢しており、このバネ付勢力により前記エンド部材１３ａが固定用部材２０のフランジ部２０ａを押し、前記カムプレート１４，１４…とワッシャ１８，１８…群が前記固定用部材１９の端面に強く押しつけられてカムプレート１４，１４…とワッシャ１８，１８…とが圧着状態におかれ、これにより受台１に対して座フレーム３および背フレーム５は固定された状態を保つように構成されている。
【００１５】
前記シャフト１３の反対端には、上記固定状態を解放するための固定解除機構２３が設けられている。この固定解除機構２３は、前記シャフト１３の端部に同心的に固着される円環状の回動カム２４（図５（Ａ），（Ｂ）示）と、座フレーム３に固定される固定カム２５（図６（Ａ），（Ｂ）示）と、前記回動カム２４の一側の軸受部２６に挿着されるハンドルレバー２７とで構成される。
【００１６】
上記回動カム２４および固定カム２５は、図５、図６に一例を示すようにその合わせ面の周方向に複数のカムが形成されたもので、そのカム形状は、図７（Ａ）に固定カム２５の、同（Ｂ）に回動カム２４の展開図を示すように複数の高所２５ａ，２４ａとこれと嵌合し得る低所２５ｂ，２４ｂとが形成されていて回動カム２４の回転時に接する側が傾斜面２５ｃ，２４ｃとされ、反対側は垂直な面とされている。
【００１７】
回動カム２４の高所２４ａの範囲には凹部２４ｄが、固定カム２５の高所２５ａの範囲には上記凹部２４ｄに密嵌する凸部２５ｄが形成されており、固定カム２５の高所２５ａに回動カム２４の高所２４ａが乗り上げたとき図８（Ａ）のように凸部２５ｄと凹部２４ｄが係合して停止位置に保持されるようになっている。なお上記凸部２５ｄは凹部２４ｄへの嵌脱をスムーズにするためテーパー２５ｅが付されている。
【００１８】
そして前記回動カム２４の高所２４ａが固定カム２５の低所２５ｂに嵌合しているとき（図８（Ｂ）示）には、シャフト１３がバネ２２により図４において左方に引かれるのでそのエンド部材１３ａが固定用部材２０のフランジ部２０ａに当ってこれを押し、前述のようにその内端が外端に位置するワッシャ１８を押してカムプレート１４を圧接固定状態とし、回動カム２４を回動してその高所２４ａが固定カム２５の高所２５ａに乗り上げると回動カム２４が固定用部材２０のフランジ部２０ａを介して押し戻し、固定用部材２０によるカムプレート１４の圧接が解かれるようになっている。
【００１９】
外端に位置するカムプレート１４，１４の前部側には平面視コ字状をなす部材が該プレート１４，１４…を貫通しているピン２８により取付けられて押圧部２９を構成しており、この押圧部２９と対応する位置の受台１上には枠体３０により拘束されたブロック状のゴムからなる弾性体３１が固設されている。なおこの弾性体３１は圧縮バネとしてもよく、あるいはカムプレート１４の後部側に引張バネを張設するようにしてもよい。
【００２０】
上記弾性体３１は、前記シャフト１３がカムプレート１４のカム孔１７の上端に位置するときに初期圧縮されており、シャフト１３がカム孔１７内を下降する（リクライニング）に伴なってカムプレート１４，１４…が傾動するにつれさらに圧縮されるようになっている。
【００２１】
図１、図２において３２は受台１を脚に取付けるための取付用ボス、３３は座クッションを示す。
【００２２】
次に作用を説明する。
【００２３】
通常の使用時には、固定解除機構２３のハンドルレバーを上方位置に操作すると回動カム２４が図８（Ａ）の矢印方向に回動してその高所２４ａが固定カム２５の高所２５ａに乗り上げるので、この回動カム２４が固定用部材２０のフランジ部２０ａを介してエンド部材１３ａを押し、図４（Ａ）のようにシャフト１３がカムの高さだけバネ２２の付勢に抗して引かれ、これによりカムプレート１４群の固定用部材１９による押し付けが解かれるのでカムプレート１４，１４…とワッシャ１８，１８…との圧着状態が解かれ、背もたれ７を使用者のとりたい姿勢に応じて後傾させることができる。
【００２４】
このとき、背フレーム７の後傾に伴ってシャフト１３がカムプレート１４のカム孔１７内を下方に移動し、この移動によってカムプレート１４，１４…が軸１６を支点に押圧部２９と共に弾性体３１を圧縮させつつ傾動する。この傾動時のクッションはバネ機構６のバネ１０に加えてカムプレート１４の傾動の角度に応じて得られる弾性体３１の反力が補助反力として作用し、執務姿勢から休息姿勢までの様々な姿勢に応じた良好なリクライニング反力が得られる。
【００２５】
特に弾性体３１は、カムプレート１４の傾動開始時より傾動が進むにつれて反力が次第に増大し、背もたれ７が大きく傾くにしたがって反力が大きくなる、すなわち堅くなるので、背もたれ７に寄り掛る際の安定性がよく、バネ１０との協働作用の下に良好なリクライニング状態を実現する。なおこの弾性体３１による反力は、カム孔１７の形状の選択によって任意の仕様とすることができる。
【００２６】
また、作業内容や使用者の好みによってリクライニングを任意の角度で固定したい場合には、背フレーム５の背もたれ７の後傾角度を所望の角度に選定した後に、固定解除機構２３のハンドレバーを下方位置に操作すると、バネ２２の付勢により回動カム２４の高所２４ａが図８（Ｂ）のように固定カム２５の低所２５ｂへ滑り込んで落ち、これに伴ないシャフト１３のエンド部材１３ａが固定用部材２０のフランジ部２０ａを押すことにより図４（Ａ）のようにこの固定用部材２０でカムプレート１４とワッシャ１８とを圧着し、受台１に対して座フレーム３および背フレーム５が固定された状態、すなわち選定位置でのリクライニング姿勢が保たれる。
【００２７】
【発明の効果】
以上説明したように本発明によれば、座フレームと背フレームとを固定またはリクライニングのためにフリーにする手段として背フレームに横貫するシャフトを受台に枢支された複数枚のカムプレートのカム孔に挿通し、このシャフトへのバネ付勢によりカムプレートを摩擦板として背フレームを座フレームに対し固定状態におき、シャフトをバネ付勢に抗してスライドさせることにより固定状態を解いて所望角度にリクライニングさせたのちシャフトを戻せば再び固定状態、すなわちリクライニング姿勢を保ち、かつその際のリクライニング反力をバネとカムプレートの傾動により作用する弾性体とによる協働作用により得るようにしたので、従来のようにガススプリングを用いることなく任意のリクライニング姿勢をとることができるとともにその際の補助反力として弾性体が機能し、快適なリクライニング状態を得ることができ、これにより椅子の構造を簡素化して安価に得られるとともにスペース的にも有利となるなどの効果がある。
【図面の簡単な説明】
【図１】本発明による椅子の一実施形態の通常使用時における縦断側面図。
【図２】同、リクライニング時における縦断側面図。
【図３】図１の状態における水平断面図。
【図４】シャフト部分を拡大して示し、（Ａ）はリクライニング固定状態時、（Ｂ）は解放状態時を示す断面図。
【図５】固定解除機構の回動カムを示し、（Ａ）は正面図、（Ｂ）は一部を断面とした平面図。
【図６】同、固定カムを示し、（Ａ）は正面図、（Ｂ）は平面図。
【図７】（Ａ）は固定カム、（Ｂ）は回動カムの各展開図。
【図８】（Ａ）は固定カムと回動カムとの非係合時、（Ｂ）は係合時を示す展開図。
【符号の説明】
１  受台
３  座フレーム
５  背フレーム
６  バネ機構
７  背もたれ
１０  バネ（コイルバネ）
１２  長孔
１３  シャフト
１４  カムプレート
１７  カム孔
１８  ワッシャ
１９，２０  固定用部材
２２  バネ
２３  固定解除機構
２４  回動カム
２５  固定カム
２９  押圧部
３１  弾性体
【図１】
0004294132.tif 000002
【図２】
0004294132.tif 000003
【図３】
0004294132.tif 000004
【図４】
0004294132.tif 000005
【図５】
0004294132.tif 000006
【図６】
0004294132.tif 000007
【図７】
0004294132.tif 000008
【図８】
0004294132.tif 000009